(57)【要約】【課題】  コネクタ及びそれを備える通信コンポネントを提供する。【解決手段】  第１通信コンポネントに結合されるコネクタであって、コネクタ本体と、コネクタ本体の一端に構成されるが、第１通信コンポネントの壁面に密着してコネクタ本体を固定させる密着部と、コネクタ本体及び第１通信コンポネントに結合される接地安定化部材と、を備え、接地安定化部材は、コネクタ本体の内壁に接地安定化部材を固定させる固定部と、弾性を付与する複数のスロットが形成され、第１通信コンポネントの挿入孔に挿入される挿入部と、弾性によって挿入孔の内壁に接して接地機能を行う接地接触部と、を備えるコネクタ。【選択図】      図１
2018049807.tif 000002
【特許請求の範囲】
【請求項１】
第１通信コンポネントに結合されるコネクタにおいて、
コネクタ本体と、
前記コネクタ本体の一端に構成されるが、前記第１通信コンポネントの壁面に密着して前記コネクタ本体を固定させる密着部と、
前記コネクタ本体及び前記第１通信コンポネントに結合される接地安定化部材と、を備え、前記接地安定化部材は、
前記コネクタ本体の内壁に前記接地安定化部材を固定させる固定部と、
弾性を付与する複数のスロットが形成され、前記第１通信コンポネントの挿入孔に挿入される挿入部と、
前記弾性によって前記挿入孔の内壁に接して接地機能を行う接地接触部と、を備えるコネクタ。
【請求項２】
前記接地接触部は、
前記挿入部より大きい直径を持つ請求項１に記載のコネクタ。
【請求項３】
前記挿入孔は、
金属からなる前記第１通信コンポネントのハウジングのいずれか一つの壁面に形成され、
前記接地接触部は、
前記挿入孔の内壁に接して接地機能を行う請求項１に記載のコネクタ。
【請求項４】
前記挿入部と前記接地接触部との間に形成される溝部をさらに備える請求項１に記載のコネクタ。
【請求項５】
前記挿入部の直径は、
前記固定部から前記接地接触部方向に行くほどますます大きくなる請求項１に記載のコネクタ。
【請求項６】
前記複数のスロットそれぞれの幅は、
前記固定部から前記接地接触部方向に行くほどますます大きくなる請求項１に記載のコネクタ。
【請求項７】
前記密着部には少なくとも一つの締結孔が形成され、
前記締結孔を通過して前記第１通信コンポネントに挿入された締結部材によって、前記コネクタと前記第１通信コンポネントとは密着して締結される請求項１に記載のコネクタ。
【請求項８】
前記コネクタ本体の他端には第２通信コンポネントが結合され、
前記コネクタ本体には、
前記第２通信コンポネントから通信信号を入力されるための第１突出部と、
前記第２通信コンポネントの接地に連結される第２突出部と、が構成される請求項１に記載のコネクタ。
【請求項９】
前記第１突出部と前記第２突出部それぞれには、
前記第１突出部と前記第２突出部それぞれに弾性を付与する複数のスロットが形成される請求項８に記載のコネクタ。
【請求項１０】
内部のキャビティに複数の共振器が形成される金属ハウジングと、
前記金属ハウジングに結合されるコネクタと、を備え、前記コネクタは、
コネクタ本体と、
前記コネクタ本体の一端に構成されるが、前記金属ハウジングの壁面に密着して前記コネクタ本体を固定させる密着部と、
前記コネクタ本体及び前記金属ハウジングに結合される接地安定化部材と、を備え、前記接地安定化部材は、
前記コネクタ本体の内壁に前記接地安定化部材を固定させる固定部と、
弾性を付与する複数のスロットが形成され、前記金属ハウジングの挿入孔に挿入される挿入部と、
前記弾性によって前記挿入孔の内壁に接して接地機能を行う接地接触部と、を備える通信コンポネント。
【発明の詳細な説明】
【技術分野】
【０００１】
本発明は、コネクタ及びそれを備える通信コンポネントに係り、さらに詳細には、コネクタ本体と通信コンポネントとに結合される接地安定化部材を備えるコネクタ及びそれを備える通信コンポネントに関する。
【背景技術】
【０００２】
通信システムには多様な種類のフィルタが適用される。フィルタは、特定周波数帯域の信号のみを通過させる機能を行う装置であり、フィルタリングされる周波数帯域によって、低域通過フィルタ（Ｌｏｗ  Ｐａｓｓ  Ｆｉｌｔｅｒ：ＬＰＦ）と、帯域通過フィルタ（Ｂａｎｄ  Ｐａｓｓ  Ｆｉｌｔｅｒ：ＢＰＦ）と、高域通過フィルタ（Ｈｉｇｈ  Ｐａｓｓ  Ｆｉｌｔｅｒ：ＨＰＦ）と、帯域阻止フィルタ（Ｂａｎｄ  Ｓｔｏｐ  Ｆｉｌｔｅｒ：ＢＳＦ）とに大別される。
【０００３】
また、フィルタは、製造方法及びフィルタに使われる素子によって、ＬＣ（ｉｎｄｕｃｔｉｖｅ−ｃａｐａｃｉｔｉｖｅ）フィルタと、トランスミッション・ライン・フィルタと、キャビティ・フィルタと、誘電体共振器（Ｄｉｅｌｅｃｔｒｉｃ  Ｒｅｓｏｎａｔｏｒ：ＤＲ）フィルタと、セラミック・フィルタと、同軸フィルタと、導波管フィルタと、ＳＡＷ（Ｓｕｒｆａｃｅ  Ａｃｏｕｓｔｉｃ  Ｗａｖｅ）フィルタとに大別される。
【０００４】
フィルタは、外部通信コンポネントから信号を伝達されるか、またはフィルタリングされた信号を他の通信コンポネントに出力するためのコネクタを備え、コネクタはフィルタの性能に影響を及ぼす。
【発明の概要】
【発明が解決しようとする課題】
【０００５】
本発明の課題は、コネクタ本体と通信コンポネントとに結合される接地安定化部材を備えるコネクタ及びそれを備える通信コンポネントを提供することである。
【課題を解決するための手段】
【０００６】
本発明の一側面による第１通信コンポネントに結合されるコネクタは、コネクタ本体と、前記コネクタ本体の一端に構成されるが、前記第１通信コンポネントの壁面に密着して前記コネクタ本体を固定させる密着部と、前記コネクタ本体及び前記第１通信コンポネントに結合される接地安定化部材と、を備え、前記接地安定化部材は、前記コネクタ本体の内壁に前記接地安定化部材を固定させる固定部と、弾性を付与する複数のスロットが形成され、前記第１通信コンポネントの挿入孔に挿入される挿入部と、前記弾性によって前記挿入孔の内壁に接して接地機能を行う接地接触部と、を備える。
【０００７】
一実施形態において、前記接地接触部は、前記挿入部より大きい直径を持つ。
【０００８】
一実施形態において、前記挿入孔は、金属からなる前記第１通信コンポネントのハウジングのいずれか一つの壁面に形成され、前記接地接触部は、前記挿入孔の内壁に接して接地機能を行う。
【０００９】
一実施形態において、コネクタは、前記挿入部と前記接地接触部との間に形成される溝部をさらに備える。
【００１０】
一実施形態において、前記挿入部の直径は、前記固定部から前記接地接触部方向に行くほどますます大きくなる。
【００１１】
一実施形態において、前記複数のスロットそれぞれの幅は、前記固定部から前記接地接触部方向に行くほどますます大きくなる。
【００１２】
一実施形態において、前記密着部には少なくとも一つの締結孔が形成され、前記締結孔を通過して前記第１通信コンポネントに挿入された締結部材によって、前記コネクタと前記第１通信コンポネントとは密着して締結される。
【００１３】
一実施形態において、前記コネクタ本体の他端には第２通信コンポネントが結合され、前記コネクタ本体には、前記第２通信コンポネントから通信信号を入力されるための第１突出部と、前記第２通信コンポネントの接地に連結される第２突出部と、が構成される。
【００１４】
一実施形態において、前記第１突出部と前記第２突出部それぞれには、前記第１突出部と前記第２突出部それぞれに弾性を付与する複数のスロットが形成される。
【００１５】
本発明の一側面による通信コンポネントは、内部のキャビティに複数の共振器が形成される金属ハウジングと、前記金属ハウジングに結合されるコネクタと、を備え、前記コネクタは、コネクタ本体と、前記コネクタ本体の一端に構成されるが、前記金属ハウジングの壁面に密着して前記コネクタ本体を固定させる密着部と、前記コネクタ本体及び前記金属ハウジングに結合される接地安定化部材と、を備え、前記接地安定化部材は、前記コネクタ本体の内壁に前記接地安定化部材を固定させる固定部と、弾性を付与する複数のスロットが形成され、前記金属ハウジングの挿入孔に挿入される挿入部と、前記弾性によって前記挿入孔の内壁に接して接地機能を行う接地接触部と、を備える。
【発明の効果】
【００１６】
本発明による方法及び装置は、コネクタ本体と通信コンポネントとに結合される接地安定化部材を備えることで、通信コンポネントの通信特性、例えば、ＰＩＭＤ（Ｐａｓｓｉｖｅ  Ｉｎｔｅｒｍｏｄｕｌａｔｉｏｎ  Ｄｉｓｔｏｒｔｉｏｎ）特性を向上させる。
【図面の簡単な説明】
【００１７】
【図１】本発明の一実施形態によるコネクタの斜視図である。
【図２】図１に示すコネクタの接地安定化部材が分離された分解斜視図である。
【図３】図１に示す接地安定化部材の側面図である。
【図４】図１に示すコネクタがキャビティ型の通信コンポネントの壁面に結合された状態の斜視図である。
【図５】図４のコネクタと通信コンポネントとの結合断面図である。
【発明を実施するための形態】
【００１８】
本発明は、多様な変更が可能であり、かつ様々な実施形態を持つことができるところ、特定の実施形態を図面に例示し、これを詳細な説明を通じて詳細に説明しようとする。しかし、これは、本発明を特定の実施形態に限定しようとするものではなく、本発明の思想及び技術範囲に含まれる全ての変更、均等物ないし代替物を含むと理解されねばならない。
【００１９】
本発明を説明するに当って、関連の公知技術に関する具体的な説明が本発明の趣旨を曖昧にすると判断される場合にはその詳細な説明を省略する。また、本明細書の説明過程で用いられる数（例えば、第１、第２など）は、一つの構成要素を他の構成要素から区分するための識別記号に過ぎない。
【００２０】
また、本明細書において、一つの構成要素が他の構成要素に「連結される」または「接続される」と言及された時には、前記一つの構成要素が前記他の構成要素に直接連結されてもよく、または直接接続されてもよいが、特に逆の記載がない限り、中間にさらに他の構成要素を介して連結されるか、または接続されることもあると理解されねばならない。
【００２１】
そして、本明細書の構成部の区分は、各構成部が担当する主機能別に区分したことに過ぎない。すなわち、以下で説明する２つ以上の構成部が一つの構成部に合わせられるか、または一つの構成部がさらに細分化された機能別に２つ以上に分化して備えられてもよい。そして、以下で説明する構成部それぞれは、自分の担当する主機能以外にも他の構成部の担当する機能のうち一部またはすべての機能をさらに行ってもよく、また構成部それぞれが担当する主機能のうち一部の機能が他の構成部によって行われてもよいということは言うまでもない。
【００２２】
以下、本発明の実施形態を順次に詳細に説明する。
【００２３】
図１は、本発明の一実施形態によるコネクタの斜視図である。図２は、図１に示すコネクタの接地安定化部材が分離された分解斜視図である。
【００２４】
図１及び図２を参照すれば、コネクタ１は、コネクタ本体１０、密着部３０、接地安定化部材５０を備える。
【００２５】
コネクタ本体１０内には、コネクタ１に入力された信号をコネクタ１の密着部３０側に連結された通信コンポネントに伝達するか、または、コネクタ１の密着部３０側に連結された通信コンポネントから出力された信号を通信コンポネントの外部に伝達するための第１信号伝逹部材１２が構成される。
【００２６】
密着部３０は、コネクタ本体１０の一端に構成されるが、コネクタ１に連結される通信コンポネントの壁面に密着してコネクタ本体１０を固定させる。
【００２７】
密着部３０には少なくとも一つの締結孔３１が形成され、締結孔３１には締結部材が結合される。
【００２８】
実施形態によって、密着部３０は、コネクタ本体１０の一部として構成される。
【００２９】
接地安定化部材５０は、コネクタ１と、コネクタ１に連結される通信コンポネントと、に結合される。
【００３０】
コネクタ１の詳細構造及びコネクタ１の結合構造については、図３ないし図５を参照して詳細に説明される。
【００３１】
図３は、図１に示す接地安定化部材の側面図である。
【００３２】
図１ないし図３を参照すれば、接地安定化部材５０は、固定部５１、挿入部５２、複数の第１スロット５３、接地接触部５４、溝部５５を備える。
【００３３】
固定部５１は、コネクタ本体１０の内壁に接地安定化部材５０を固定させる。
【００３４】
実施形態によって、固定部５１には、コネクタ本体１０の内壁に密着させるための突起が形成されうる。例えば、固定部５１にはナーリング・パターンが形成される。
【００３５】
実施形態によって、固定部５１は、締まりばめ（ｉｎｔｅｒｆｅｒｅｎｃｅ  ｆｉｔ）式でコネクタ本体１０の内壁に結合及び固定される。
【００３６】
挿入部５２は、コネクタ１の密着部３０側に連結される通信コンポネントに挿入される。挿入部５２が通信コンポネントに挿入される結合構造は、図４及び図５を参照して詳細に説明される。
【００３７】
挿入部５２には、挿入部５２に弾性を付与する複数の第１スロット５３が形成される。実施形態によって、挿入部５２に形成された複数の第１スロット５３の形態及び数は、要求される弾性強度によって多様な変更が可能となる。
【００３８】
実施形態によって、挿入部５２に形成された複数の第１スロット５３それぞれの幅は、固定部５１から接地接触部５４に行くほどますます大きくなる。すなわち、複数の第１スロット５３それぞれの幅はＡ方向に行くほど小くなり、Ｂ方向に行くほど大きくなる。
【００３９】
実施形態によって、挿入部５２の直径は、固定部５１から接地接触部５４に行くほどますます大きくなる。すなわち、挿入部５２の直径はＡ方向に行くほど小くなり、Ｂ方向に行くほど大きくなる。
【００４０】
接地接触部５４は、コネクタ１に連結される通信コンポネントの接地に接して接地機能を行える。
【００４１】
図３では、コネクタ１の終端に挿入部５２と別途に接地接触部５４が構成される場合を例示的に示すが、接地接触部５４は、挿入部５２の一部または全部で具現されてもよい。
【００４２】
実施形態によって、接地接触部５４の直径Ｄｓｔは、挿入部５２の直径よりさらに大きい値を持つ。
【００４３】
挿入部５２と接地接触部５４との間には溝部５５が形成される。接地接触部５４は、溝部５５によって接地安定化部材５０の中心軸Ｃａｘから外側方向にさらに大きい弾性を持つ。この場合、接地接触部５４は、さらに安定的に通信コンポネントの接地に接触する。
【００４４】
実施形態によって、接地接触部５４は少なくとも２つ以上形成され、この場合に通信コンポネントの接地に接触する部分が２地点以上構成される。
【００４５】
実施形態によって、接地接触部５４の接触部は曲面に形成される。
【００４６】
図４は、図１に示すコネクタがキャビティ型の通信コンポネントの壁面に結合された状態の斜視図である。
【００４７】
図１ないし図４を参照すれば、第１通信コンポネント２は、フィルタ、デュプレクサ、マルチプレクサなどの多様な形態で具現される。
【００４８】
第１通信コンポネント２は、ハウジング７０の内部に複数の隔壁４により区切られたキャビティを備える。
【００４９】
キャビティには複数の共振器３が構成され、複数の共振器３に沿って一側のコネクタ１、例えば、入力コネクタに入力された信号が他側のコネクタ１’、例えば、出力コネクタに伝送される。
【００５０】
実施形態によって、複数の共振器３それぞれは誘電体または金属などで構成される。
【００５１】
実施形態によって、ハウジング７０は、金属で構成されるか、またはその外面が導電性物質（例えば、銀（Ａｇ）または銅（Ｃｕ））でメッキ処理される。
【００５２】
コネクタ１または１’は、ハウジング７０の壁面に結合される。出力端側のコネクタ１’は、入力端側のコネクタ１と実質的に同じ構造に形成され、コネクタ１または１’がハウジング７０の壁面に結合される構造は、図５を参照して詳細に説明される。
【００５３】
図５は、図４のコネクタと通信コンポネントとの結合断面図である。
【００５４】
図１ないし図５を参照すれば、コネクタ本体１０の一端には密着部３０が構成される。締結部材３２は、密着部３０の締結孔３１を貫通して第１通信コンポネント２のハウジング７０の壁面に挿入され、コネクタ１とハウジング７０の壁面とを密着させて締結できる。
【００５５】
接地安定化部材５０は、コネクタ本体１０と第１通信コンポネント２のハウジング７０とに結合される。
【００５６】
接地安定化部材５０の固定部５１は、コネクタ本体１０の内壁１４に密着して接地安定化部材５０を固定させる。
【００５７】
ストッパ５６は、接地安定化部材５０の固定部５１がこれ以上コネクタ本体１０の内に挿入されないように支持する。すなわち、ストッパ５６によって接地安定化部材５０のコネクタ本体１０に挿入される深さが調節される。
【００５８】
接地安定化部材５０の挿入部５２は、第１通信コンポネント２のハウジング７０の挿入孔７２に挿入されて、第１通信コンポネント２に結合される。実施形態によって、接地安定化部材５０の挿入部５２の長さは、挿入されるハウジング７０の壁面の厚さＴｈｓより短く設計される。
【００５９】
接地安定化部材５０の接地接触部５４は、第１通信コンポネント２のハウジング７０の挿入孔７２の内壁に接して接地機能を行える。
【００６０】
この時、接地安定化部材５０の接地接触部５４は、挿入部５２に形成された複数のスロット５３によって付与される弾性によって、ハウジング７０の挿入孔７２の内壁に安定して接触する。
【００６１】
実施形態によって、接地安定化部材５０が挿入孔７２に挿入されて結合する時に接地接触部５４の位置に誤差が発生しても、接地接触部５４は、挿入孔７２の内壁の任意の地点には安定して接触できる。これによって、接地接触部５４は安定的な接地機能を行える。さらに、コネクタ１は、接地接触部５４の安定的な接地機能のためＰＩＭＤ（Ｐａｓｓｉｖｅ  Ｉｎｔｅｒｍｏｄｕｌａｔｉｏｎ  Ｄｉｓｔｏｒｔｉｏｎ）特性が向上する。
【００６２】
コネクタ本体１０の他側（例えば、第１通信コンポネント２の反対側）には第２通信コンポネント（図示せず）が結合される。コネクタ本体１０の他側には、第２通信コンポネントから通信信号を入力されるための第１突出部１８と、第２通信コンポネントの接地に連結される第２突出部２２と、が構成される。
【００６３】
実施形態によって、第１突出部１８には、第１突出部１８に弾性を付与する複数の第２スロット１９が形成される。実施形態によって、第１突出部１８に形成された複数の第２スロット１９の数は、要求される弾性強度によって多様な変更が可能となる。
【００６４】
実施形態によって、第２突出部２２には、第２突出部２２に弾性を付与する複数の第３スロット２３が形成される。実施形態によって、第２突出部２２に形成された複数の第３スロット２３の数は、要求される弾性強度によって多様な変更が可能となる。
【００６５】
第１突出部１８に結合された第２通信コンポネントから入力された信号は、第２信号伝逹部材２０及び第１信号伝逹部材１２を通じて第１通信コンポネント２に伝達される。
【００６６】
第２信号伝逹部材２０は、連結部２１によって第１信号伝逹部材１２に連結される。また、第２信号伝逹部材２０は、結合部材１６を通じてコネクタ本体１０に結合及び固定される。
【００６７】
実施形態によって、第１信号伝逹部材１２は、ハウジングの内部７４に形成された複数の共振器３のうち少なくともいずれか一つと直接電気的に連結されるか、またはカップリングされる構造を持つ。
【００６８】
以上、本発明を望ましい実施形態を挙げて詳細に説明したが、本発明は、前記実施形態に限定されず、本発明の技術的思想及び範囲内で当業者によって多様な変形及び変更ができる。
【産業上の利用可能性】
【００６９】
本発明は、コネクタ及びそれを備える通信コンポネント関連の技術分野に好適に用いられる。
【符号の説明】
【００７０】
１、１’  コネクタ
２    通信コンポネント
１０  コネクタ
１２、２０  信号伝逹部材
３０  密着部
３１  締結孔
３２  締結部材
５０  接地安定化部材
５１  固定部
５２  挿入部
１９、２３、５３  スロット
５４  接地接触部
５５  溝部
７０  ハウジング
７２  挿入孔
７４  ハウジングの内部
【図１】
2018049807.tif 000003
【図２】
2018049807.tif 000004
【図３】
2018049807.tif 000005
【図４】
2018049807.tif 000006
【図５】
2018049807.tif 000007
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
第1通信コンポネントに結合されるコネクタにおいて,
コネクタ本体と、
前記コネクタ本体の一端に構成されるが、前記第１通信コンポネントの壁面に密着して前記コネクタ本体を固定させる密着部と、
前記コネクタ本体及び前記第１通信コンポネントに結合される接地安定化部材と、を備え、
前記接地安定化部材は、
前記コネクタ本体の内壁に締まりばめ式に結合され、前記接地安定化部材を前記コネクタ本体の内壁に固定される固定部、
前記第１通信コンポネントの挿入孔に挿入されて、それぞれが挿入方向に形成され弾性を付与する複数のスロットを含み、前記挿入孔が形成された前記第１通信コンポネントの壁面の厚さより短い長さを備える挿入部、
前記弾性によって前記挿入孔の内壁に接して接地機能を行う接地接触部、及び
前記挿入部と前記接地接触部との間に形成され、前記接地接触部に前記接地安定化部材の中心軸から外側方向の弾性を付与する溝部を含む、
コネクタ。
【請求項２】
前記接地接触部は、
前記挿入部より大きい直径を持つ請求項１に記載のコネクタ。
【請求項３】
前記挿入孔は、
金属からなる前記第１通信コンポネントのハウジングのいずれか一つの壁面に形成され、
前記接地接触部は、
前記挿入孔の内壁に接して接地機能を行う請求項１に記載のコネクタ。
【請求項４】
前記挿入部の直径は、
前記固定部から前記接地接触部の方向に行くほどますます大きくなる請求項１に記載のコネクタ。
【請求項５】
前記複数のスロットそれぞれの幅は、
前記固定部から前記接地接触部の方向に行くほどますます大きくなる請求項１に記載のコネクタ。
【請求項６】
前記密着部には少なくとも一つの締結孔が形成され、
前記締結孔を通過して前記第１通信コンポネントに挿入された締結部材によって、前記コネクタと前記第１通信コンポネントとは密着して締結される請求項１に記載のコネクタ。
【請求項７】
前記コネクタ本体の他端には第２通信コンポネントが結合され、
前記コネクタ本体には、
前記第２通信コンポネントから通信信号を入力されるための第１突出部と、
前記第２通信コンポネントの接地に連結される第２突出部と、が構成される請求項１に記載のコネクタ。
【請求項８】
前記第１突出部と前記第２突出部それぞれには、
前記第１突出部と前記第２突出部それぞれに弾性を付与する複数のスロットが形成される請求項７に記載のコネクタ。
【請求項９】
内部のキャビティに複数の共振器が形成される金属ハウジングと、
前記金属ハウジングに結合されるコネクタと、を備え、前記コネクタは、
コネクタ本体と、
前記コネクタ本体の一端に構成されるが、前記金属ハウジングの壁面に密着して前記コネクタ本体を固定させる密着部と、
前記コネクタ本体及び前記金属ハウジングに結合される接地安定化部材と、を備え、
前記接地安定化部材は、
前記コネクタ本体の内壁に締まりばめ式に結合され、前記接地安定化部材を前記コネクタ本体の内壁に固定させる固定部と、
前記金属ハウジングの挿入孔に挿入されてそれぞれが前記挿入方向に形成され弾性を付与する複数のスロットを含み、前記挿入孔が形成された前記金属ハウジングの壁面の厚さより短い長さを備える挿入部と、
前記弾性によって前記挿入孔の内壁に接して接地機能を行う接地接触部と、
前記挿入部と前記接地接触部との間に形成され、前記接地接触部に前記接地安定化部材の中心軸から外側方向の弾性を付与する溝部を備える、
通信コンポネント。